(57)【要約】【課題】  高さのあるグラスや水筒、急須やティーポット等の内周面や底面を確実且つ簡単に洗浄できるようにすることにある。【解決手段】  把持桿４の先端に略半円筒形状の胴部５を連接し、この胴部５の先端面に略円形形状の端板６を連接した操作体２と、前記した端板６から胴部５にかけて着脱自在に被覆する袋形状の洗浄布３、とから構成される洗浄具であって、円形形状の端板６を覆う洗浄布３の先端部分でグラス等の底内面を擦りながら洗浄し、或いは半円筒形状の胴部５を覆う洗浄布３の背面部分でグラス内面を洗浄することができる。【選択図】        図１
0003156318.tif 000002
【実用新案登録請求の範囲】
【請求項１】
把持桿（４）の先端に略半円筒形状の胴部（５）を連接し、該胴部（５）の先端面に略円形形状の端板（６）を連接した操作体（２）と、前記端板（６）から胴部（５）にかけて着脱自在に被覆する袋形状の洗浄布（３）、とから成ることを特徴とする洗浄具。
【考案の詳細な説明】
【技術分野】
【０００１】
本考案は、グラスやコップ、急須、水筒等の内部を洗うための洗浄具に関するものである。
【背景技術】
【０００２】
従来より、高さのあるグラスやコップ、或いは急須や水筒等の内部を洗う場合、指が届かないために汚れが落ちず、不衛生なものになっていた。
【０００３】
このため、例えば軟らかいスポンジを弾性変形させて無理やり押し込み、回転させるようなことが行われるが、これにより内周面は或る程度擦り洗いできるものの、内周面の下部や底面にまでは充分に届かず、不満足な結果に終わっている。そこでこの点に鑑みて、以下の如き考案の提案がなされている。
【先行技術文献】
【特許文献】
【０００４】
【特許文献１】実用新案登録第３０１５３３３号公報
【特許文献２】実開平６−７９４５８号公報
【考案の概要】
【考案が解決しようとする課題】
【０００５】
これ等特許文献の考案は、柄の先端を屈曲させ、その屈曲部分に洗浄体を付設した構成で、グラス等に挿入して柄を軸回転させることにより洗浄体をもってグラスの底の部分を洗おうとするものである。
【０００６】
しかしながら、この構成では底の部分に対する洗浄体の当接は線接触或いは極めて細い面接触程度であり、柄を軸回転させても、充分な洗浄が行えない不満が残る。そして、胴部の内周面に対する洗浄は全く行えない問題もある。
【０００７】
よって本考案は、上述した従来技術の欠点、不都合、不満を解消するべく開発された洗浄具であって、高さのあるグラスや水筒、急須やティーポット等の内周面や底面を確実且つ簡単に洗浄できるようにすることを目的とする。
【課題を解決するための手段】
【０００８】
上記課題を解決するため、本考案の洗浄具は、把持桿の先端に略半円筒形状の胴部を連接し、この胴部の先端面に略円形形状の端板を連接した操作体と、前記した端板から胴部にかけて着脱自在に被覆する袋形状の洗浄布、とから成ることを特徴とする。
【考案の効果】
【０００９】
上記した本考案にあって、把持桿を把持して例えば円筒形状のグラスに端板部分から挿入すると、グラスの底内面に、端板を覆う洗浄布の先端部分が面接触するので、グラス或いは把持桿を相対的に軸回転させれば、この洗浄布先端部分がグラスの底内面を擦りながら確実に洗浄することができる。この場合、端板は略円形形状であるから、端板周縁の洗浄布先端部分はグラスの底内面の周縁部分にもその曲線に沿ってぴったりと当接し、隅を洗浄する。
【００１０】
また、グラスの円筒の内面には、半円筒形状の胴部を覆う洗浄布の背面部分がグラス内面の曲面に沿って面接触するので、同様に軸回転させれば洗浄することができる。或いは、端板周縁の洗浄布の先端部分はグラスの円筒の内面にもその曲線に沿って当接するので、把持桿を上下動させれば、内面の汚れを擦り落とすことができる。更には洗浄布自体が汚れたり劣化したならば、新たなものと容易に交換できる等、本考案は多くの優れた作用効果を奏する。
【図面の簡単な説明】
【００１１】
【図１】洗浄具の一例を示す分解斜視図である。
【図２】図１で、組み付けた状態の斜視図である。
【図３】（Ａ）は図１のＡ−Ａ線断面図、（Ｂ）は図１のＢ−Ｂ線断面図である。
【図４】他の実施例を示す斜視図である。
【図５】洗浄布の他の実施例を示す斜視図である。
【図６】洗浄布の他の実施例を示す斜視図である。
【図７】グラスを洗浄する場合の説明図である。
【図８】水筒を洗浄する場合の説明図である。
【考案を実施するための形態】
【００１２】
本考案の洗浄具１は、操作体２と、洗浄布３とから構成される。操作体２は、ロッド状の把持桿４の先端に略半円筒形状の胴部５を連接し、更にこの胴部５の先端面に略円形形状の端板６を連接した構成で、側面視で、端板６は胴部５に対してＬ字型に突出することになる。
【００１３】
また、洗浄布３は袋形状であって、例えばアクリル系の糸で或る程度の伸縮性をもたせて編まれた布の表面に酢酸ビニル樹脂を塗工して表面を硬くしたものであり、端板６から胴部５にかけて着脱自在に被覆する。
【実施例１】
【００１４】
図１、図２、図３、図７、図８にあって、把持桿４と胴部５との連接部分には係止ピン７が設けられており、一方、端板６から胴部５にかけて被覆される洗浄布３に於ける上記係止ピン７に対向する個所には係止孔８が開設されている。従って、洗浄布３を若干きつめに被覆した状態で係止ピン７と係止孔８とを係止することにより、操作体２と洗浄布３とは洗浄作業がし易いように確固と一体化し、且つ係止ピン７と係止孔８との係止を解くことにより洗浄布３を外すことができるのである。
【実施例２】
【００１５】
図４では、洗浄布３は単純な袋体であって、端板６から胴部５にかけて被覆したならば、ゴムリング９を洗浄布３の開口部近傍にきつめに嵌め込んで、操作体２と洗浄布３とを一体化する。
【実施例３】
【００１６】
図５では、洗浄布３の開口部近傍に帯片１０を付設し、帯片１０の先端に雌ホック１１を設けると共に、端板６から胴部５にかけて被覆した洗浄布３の開口部を帯片１０できつく締めた際の雌ホック１１に対向する開口部個所に、雌ホック１１に嵌る雄ホック１２を設け、両者を嵌め込むことにより操作体２と洗浄布３とを一体化する。
【実施例４】
【００１７】
図６では、図５での雌ホック１１と雄ホック１２とに代えて、面ファスナー１３を配した構成である。
【実施例５】
【００１８】
図７は、実施例１で示した構成の洗浄具１にあって、直線円筒形状のグラス１４を洗浄する状態を示したものであり、図８（Ａ）は水筒１５を洗浄する状態を示したものである。特に図８（Ｂ）の部分拡大図にあって、水筒１５の肩部１６から胴部にかけての内面は、従来は極めて洗いにくい部分であったが、本考案の洗浄具１によれば、端板６に被覆された洗浄布３の先端部分によって、確実に洗浄することができる。
【符号の説明】
【００１９】
１  洗浄具
２  操作体
３  洗浄布
４  把持桿
５  胴部
６  端板
７  係止ピン
８  係止孔
９  ゴムリング
１０  帯片
１１  雌ホック
１２  雄ホック
１３  面ファスナー
１４  グラス
１５  水筒
１６  肩部
【図１】
0003156318.tif 000003
【図２】
0003156318.tif 000004
【図３】
0003156318.tif 000005
【図４】
0003156318.tif 000006
【図５】
0003156318.tif 000007
【図６】
0003156318.tif 000008
【図７】
0003156318.tif 000009
【図８】
0003156318.tif 000010